(57)【要約】      （修正有）【課題】汚物に触れることなくゴミ箱ごと廃棄し、ゴミ箱が重い時は車輪と取手部により移動を容易にした車輪付きペダル式ゴミ箱台を提供する。【解決手段】車輪付きペダル式ゴミ箱台はゴミ箱を保持する載台部の下部に前脚部５と後脚部６を設け、連結箱体の後部に支柱箱を設け、連結箱体の中心部で支持軸９に支持された前平面部１０、後平面部１１を有する駆動板１２の該前平面部１０に接続したペダル板１３と、該ペダル板１３が上下する掛部を有する案内孔１６を前脚部５に設け、支柱箱内にペダル板１３によって上下するの昇降棒１７の下部１９を駆動板１２の後平面部１１に当接し、昇降棒１７の上部２０を蓋開閉板２１に取り付けられた回動板２２の開閉孔２３に挿入し、回動板２２の支持孔２４を支柱箱８に取り付けられた回動軸２４に取り付け、ペダル板の上下で蓋開閉板２１に接続されたゴミ箱の蓋を開閉にするペダル式ゴミ箱。【選択図】図３
2005343686.tif 000002
【特許請求の範囲】
【請求項１】
上面四隅にダンボール箱等で形成したゴミ箱を保持する突起部を有する載台部と、前記載台部の下部の前面と後面に前脚部と後脚部を設け、前記前脚部と後脚部とを連結する連結箱体と、前記連結箱体の後部に垂直に設けた支柱箱と、前記連結箱体内にほぼ中心部で支持軸に支持された前部と後部に前平面部、後平面部を有する駆動板と、前記前平面部に接続したペダル板と、前記前脚部に軸芯方向にやや捻じれるような弾力性を有する駆動板の先方部が上下する掛部を有する案内孔を設け、前記支柱箱内にペダル板を上下することによって昇降する昇降棒を配置し、該昇降棒の下部を駆動板の後平面部に当接し、前記昇降棒の上部を蓋開閉板に取り付けられた回動板の開閉孔に挿入し、前記回動板の支持孔を支柱箱に取り付けられた回動軸に取り付けたペダル式ゴミ箱台であって、
ペダル板を上下することによって、蓋開閉板が開閉し、前記駆動板の先方部を案内孔の掛部に保持することによって蓋開閉板を開いた状態に維持するようにしたことを特徴とするペダル式ゴミ箱台。
【請求項２】
前記ペダル式ゴミ箱台の背面下部の２箇所に車輪を取り付け、支柱箱の背面に水平の取手部を有する取手軸を上下できるように設けたことを特徴とする特許請求の範囲第１項記載の車輪付きペダル式ゴミ箱台。
【発明の詳細な説明】
【技術分野】
【０００１】  本発明は、載台部にゴミ箱をのせてペダルを上下することによってゴミ箱の蓋を開閉し、必要に応じて蓋を開け放しするようにして、汚物に手を触れることなしにゴミ箱にゴミを収納してゴミがゴミ箱に一杯に溜まった時にゴミ箱を廃棄して全く汚物等のゴミに手を触れることなしにゴミ箱を廃棄できるペダル式ゴミ箱台で、さらにゴミ箱が重い時は、車輪と取手部により簡単に移動してゴミ箱を廃棄できるようにした車輪付きペダル式ゴミ箱台に関する。
【背景技術】
【０００２】    従来よりペダル部を踏むことによるゴミ箱の蓋が開閉するペダル式コミ箱があった。【０００３】    しかし特許文献公報に記載されているように、容器本体と、前記容器本体の枢着された蓋体と、前記容器本体の背面に配された上下方向に延びるリフトアームと、前記リフトアームの下部に枢着され、前記容器本体の下部を前後方向に延びるとともに、ペダル部である前端部を押し下げることによって後端部が持ち上がるように取り付けられたペダルレバーとよりなり、前記ペダル部の押し下げによって前記リフトアームを上昇させ、これに伴って前記蓋体が枢着個所を中心として開方向に回動するように構成したペダル式屑箱であって、ペダル部の押し下げによって開けた蓋体が、前記押し下げを解除しても閉まらず開蓋状態を保持し、再度の押し下げによって前記蓋体が閉まるように構成していたように容器本体に蓋体の開閉装置が一体となった装置が示されえている。
【特許文献】特開平１０−５９５０６号
【発明の開示】
【発明が解決しようとする課題】
【０００４】    すなわち、上述した従来のペダル式屑箱は屑箱内の屑を廃棄するときは、屑箱から屑を取り出して廃棄しなければならず、よって屑に手を触れてしまうことになる。しかし屑の中には汚物で手に触れてはならない汚物、例えば病院などで廃棄する汚物等がある問題点があった。
【課題を解決するための手段】
【０００５】  前記目的を達成するために、この発明の請求項１記載のペダル式ゴミ箱台は、上面四隅にダンボール箱等で形成したゴミ箱を保持する突起部を有する載台部と、前記載台部の下部の前面と後面に前脚部と後脚部を設け、前記前脚部と後脚部とを連結する連結箱体と、前記連結箱体の後部に垂直に設けた支柱箱と、前記連結箱体内にほぼ中心部で支持軸に支持された前部と後部に前平面部、後平面部を有する駆動板と、前記前平面部に接続したペダル板と、前記前脚部に軸芯方向にやや捻じれるような弾力性を有する駆動板の先方部が上下する掛部を有する案内孔を設け、前記支柱箱内にペダル板を上下することによって昇降する昇降棒を配置し、該昇降棒の下部を駆動板の後平面部に当接し、前記昇降棒の上部を蓋開閉板に取り付けられた回動板の開閉孔に挿入し、前記回動板の支持孔を支柱箱に取り付けられた回動軸に取り付けたペダル式ゴミ箱台であって、
ペダル板を上下することによって、蓋開閉板が開閉し、前記駆動板の先方部を案内孔の掛部に保持することによって蓋開閉板を開いた状態に維持するようにしたことを特徴とする。
請求項２記載の車輪付きペダル式ゴミ箱台は、前記ペダル式ゴミ箱台の背面下部の２箇所に車輪を取り付け、支柱箱の背面に水平の取手部を有する移動軸を上下できるように設けたことを特徴とする。
【発明の効果】
【０００６】    請求項１記載のペダル式ゴミ箱台は、ペダル板を上下することによって蓋開閉板が開閉して駆動板の先方部を案内孔の掛部に保持することによって蓋開閉板を開いた状態に維持して、ゴミ箱の蓋を蓋開閉板に付着した蓋を開閉又は開き放しにしてゴミをゴミ箱に入れ、載台部に載せられたダンボール箱等で形成したゴミ箱がゴミで一杯になった時に蓋開閉板から蓋を取りゴミ箱の蓋を閉めて内部の汚物に触れることなくゴミ箱ごと廃棄することができる効果がある。【０００７】    請求項２記載の車輪付きペダル式ゴミ箱台は、ゴミ箱を廃棄するときゴミ箱が重い時などに車輪と取手部により移動を容易にすることができる効果がある。
【発明を実施実施するための最良の形態】
【実施例１】
【０００８】      以下、この発明の好適な実施形態を図面を用いて詳細に説明するが本発明はこれによって限定されるものではない。
先ず、請求項１記載のペダル式ゴミ箱台について説明すれば、次の通りであって、図１はこの発明に係わるペダル式ゴミ箱台を示している。
図１において、ペダル式ゴミ箱台１は上面四隅にダンボール箱等で形成したゴミ箱２を保持する突起部３を有する金属で作られた載台部４を形成し、載台部４の下部の前面と後面に前脚部５と後脚部６設け、前脚部５と後脚部６とを連結箱体７で連結し、連結箱体７の後部に支柱箱８を垂直に設け、図２と図３に示すように連結箱体７内においてほぼ中心部で、該連結箱体７の両側板に取り付けた支持軸９に金属よりなり、先方部１４が軸芯に対しやや捻じれるような弾力性を有する駆動板１２を支持し、駆動板１２の前部と後部を９０度に捻じ曲げて前平面部１０、後平面部１１を形成し、前平面部１０に溶接等で固着して接続したペダル板１３と、図６に示すようにペダル板１３の後方部分、即ち、駆動板１２の先方部１４が前脚部５の前面の掛部１５を有する案内孔１６内に位置してペダル板１３が上下し、支柱箱８内にペダル板１３を上下することによって昇降する図２、図３に示すような金属の昇降棒１７が連結箱体７の後部上面に設けられた連通口１８を通して、昇降棒１７の下部１９を駆動板１２の後平面部１１に当接し、昇降棒１７の上部２０を蓋開閉板２１に取り付けられた回動板２２の開閉孔２３に挿入し、回動板２２の支持孔２４を、支柱箱８に取り付けられた回動軸２５に取り付けて、ペダル板１３を上下することによって、蓋開閉板２１に両面テープ等で付着しれたゴミ箱２の蓋２６が開閉する。
【実施例２】
【０００９】  請求項２記載の車輪付きペダル式ゴミ箱台について説明すれば、次の通りであって、
ペダル式ゴミ箱台１の背面下部２７の２箇所に車輪２８を取り付け、支柱箱８の背面の移動軸箱２９の内部に、水平で回動自在の取手部３０を有する取手軸３１が挿通されており、下部に図４に示すように手持部３２を有する掛板部３３がスプリングワッシャー３４を介してダブルナット３５で取り付けられている。【００１０】  以下、蓋開閉板２１の開閉操作に関し図１から図３および図５、図６に基づいて説明する。
蓋開閉板２１が閉じているとき、即ち蓋開閉板２１が水平位置にあり、ゴミ箱２の蓋２６が閉じているときは、駆動板１２の後平面部１１に当接した昇降棒１７や蓋開閉板２１の自重によって駆動板１２の後平面部１１が下がり、駆動板１２が支持軸９で支持されてペダル板１３は上部にある（図２、図６（ａ））参照）。
蓋開閉板２１を開いてゴミ箱２の蓋２６を開けるときは、ペダル板１３を踏むとペダル板１３は下降する。駆動板１２の先方部１４が前脚部５の前面の掛部１５を有する案内孔１６内に位置しているので、駆動板１２の先方部１４が前脚部５の案内孔１６内をスムーズに移動することができてペダル板１３が下降し（図６（ｂ）参照）、したがって図３に示すように駆動板１２の後平面部１１が上昇して、後平面部１１に当接した昇降棒１７も上昇し図５（ｂ）に示すように蓋開閉板２１に取り付けられた回動板２２が、回動軸２５を中心に開閉孔２３に挿入されている昇降棒１７の上部２０に湾曲部３６が設けられているので、昇降棒１７が回動軸２５に邪魔されることなく上がって蓋開閉板２１が開き、蓋開閉板２１の上面３７が支柱箱８の内面３８に当接して停止状態を保つ。【００１１】    ゴミが少ない時などは、蓋開閉板２１を開閉してゴミ箱２の蓋２６を開閉しながら、ゴミを入れたいときは、ペダル板１３を踏んだり離したりして、ペダル板１３を踏んだときは駆動板１２の後平面部１１に当接した昇降棒１７が上昇して蓋開閉板２１が開き、ペダル板１３から足を放せば蓋開閉板２１や昇降棒１７の自重によって、駆動板１２の後平面部１１が下部に下がり蓋開閉板２１が閉まり元の状態になるのでこの動作を適宜行うものである。【００１２】    一方ゴミが多いなどは蓋開閉板２１を開けてゴミ箱２の蓋２６を開けた状態に保ちたいときは、図６（ｃ）に示すようにペダル板１３を斜めに踏む。この場合、ペダル板１３を固定している駆動板１２の先方部１４は軸芯に対し、やや捻じれるような弾力性を有するので、ペダル板１３は斜めとなる。そしてペダル板１３を取り付けている駆動板１２の先方部１４を、前脚部５の案内孔１６の掛部１５に引っ掛けてペダル板１３を下方の位置に保てば蓋開閉板２１は開いたままでゴミ箱２の蓋２６を開けた状態に保つ。この状態から蓋２６を閉めたいときは、斜めになったペダル板１３を水平にして、足を離せば、即ち、駆動板１２の先方部１４は、軸芯に対し、やや捻じれるような弾性を有するので、その弾性によって逆方向に捻れて図６の（ｃ）より、同図の（ｂ）に復帰し、先方部１４は掛部１５より外れ、案内孔１６内を上昇し、先方部１４は案内孔１６の上部に当たり、図６の（ａ）の位置となってペタル板１３の上昇は停止する。即ち、駆動板１２の後平面部１１に当接した開閉板２１や昇降棒１７の自重によって、駆動板１２の後平面部１１が下部に下がり蓋２６が閉まり元の状態になる。【００１３】    次にゴミ箱２が重くてペダル式ゴミ箱台１の背面下部２７の２箇所にある車輪２８を用いてゴミ箱２を移動したいときは、図２に示す位置にある取手軸３１の取手部３０をもって引き上げて、図４（ｂ）に示す移動軸箱２９の下端面３９に位置させて手持部３２を有する掛板部３３を廻せばスプリングワッシャー３４に抗して、掛板部３３が回転して図４（ａ）に示す支柱箱８の背面部４０に設けられた掛孔４１の広口部４２に入り止り部４３で止まるので、取手部３０と共に取手軸３１を下に押し下げれば掛孔４１の狭い部４４に入る。この状態で移動軸３１を斜めにして車輪２８が地面に接するようにしてペダル式ゴミ箱台１を引いたり、押したりして移動させればよい。掛板部３３を手で回転させてもよいように手持部３２が設けられており掛板部３３の回転の固さをスプリングワッシャー３４の圧力で調節してダブルナット３５で固定している。
【図面の簡単な説明】
【００１４】
【図１】この発明による車輪付きペダル式ゴミ箱台の斜視図である。
【図２】同車輪付きペダル式ゴミ箱台の蓋開閉板が閉まった状態の一部縦断側面図である。
【図３】同車輪付きペダル式ゴミ箱台の蓋開閉板が開いた状態の一部縦断側面図である。
【図４】同車輪付きペダル式ゴミ箱台の掛板部と掛孔の拡大図である。
【図５】同車輪付きペダル式ゴミ箱台の回動板の拡大図である。
【図６】同車輪付きペダル式ゴミ箱台のペダル板の位置を示す拡大図である。
【符号の説明】
【００１５】１  ペダル式ゴミ箱台
２  ゴミ箱
３  突起部
４  載台部
５  前脚部
６  後脚部
７  連結箱体
８  支柱箱
９  支持軸
１０前平面部
１１後平面部
１２駆動板
１３ペダル板
１４先方部
１５掛部
１６案内孔
１７昇降棒
２１蓋開閉板
２２回動板
２３開閉孔
２５回動軸
２６蓋
２８車輪
２９移動軸箱
３０取手部
３１取手軸
【図１】
2005343686.tif 000003
【図２】
2005343686.tif 000004
【図３】
2005343686.tif 000005
【図４】
2005343686.tif 000006
【図５】
2005343686.tif 000007
【図６】
2005343686.tif 000008